(57)【要約】    【課題】      信頼性の高いバンドを短時間に特定することができる通信端末装置を提供すること。    【解決手段】  通信端末装置２００においては、無線受信部２０１にて受信帯域を切り換えて複数帯域の受信信号を受信し、制御部２０３にて無線受信部２０１より得られる受信信号の周波数にＶＣ−ＴＣＸＯ２０６の生成する基準周波数信号の周波数を近づけるようにＶＣ−ＴＣＸＯ２０６への印加電圧を制御する。また、制御部２０３は、無線受信部２０１により受信帯域が切り換えられる場合に、切り換えられた受信帯域におけるＶＣ−ＴＣＸＯ２０６への制御電圧の初期値を、受信帯域が切り換えられる前の制御電圧に設定する。  【選択図】      図１
2006067337.tif 000002
【特許請求の範囲】
【請求項１】
受信帯域を切り換えて複数帯域の無線信号を受信可能な無線部と、
前記無線部より得られた受信信号の周波数に基準周波数を制御する自動周波数制御手段と、
前記無線部により切り換えられた受信帯域における前記自動周波数制御手段の制御電圧の初期値を、受信帯域が切り換えられる前の制御電圧に設定する制御手段と
を具備することを特徴とする通信端末装置。
【請求項２】
前記制御手段は、
前記無線部により切り換えられた受信帯域における一定時間後の、自動周波数制御手段の出力周波数と前記基準周波数との誤差のうちの最小誤差を、受信帯域と対応づけて記憶するメモリと、
前記無線部の受信帯域が切り換えられる場合に、前記最小誤差に対応する制御電圧を、前記自動周波数制御手段の制御電圧の初期値に設定する制御電圧設定手段と、
を具備することを特徴とする請求項１に記載の通信端末装置。
【発明の詳細な説明】
【技術分野】
【０００１】
本発明は、複数の周波数帯域を通信に利用できる通信端末装置に関する。
【背景技術】
【０００２】
近年、移動体通信システムに用いられる通信方式として、干渉や妨害に強いＣＤＭＡ通信方式が注目されている。このＣＤＭＡ通信システムとは、送信側では送信したいユーザ信号を拡散符号により拡散して送信し、受信側ではその拡散符号と同一の拡散符号を用いて逆拡散を行うことにより元のユーザ信号を得る通信システムである。
【０００３】
ＣＤＭＡ通信システムは拡散符号による多重アクセスを実現するシステムであるため、同一周波数内に複数のユーザを収容できるという特徴がある。しかしながら、単一周波数に収容できるユーザ数には限りがあるため、従来のセルラ方式と同様に複数の周波数帯域（以下、バンドと略することがある）に基地局装置を設置し、より多くのユーザを収容できるようにしている。そのため、ＣＤＭＡ通信システムの通信端末装置では、一般に、複数のバンドから通信対象となる基地局装置を選択するバンドサーチ処理が行われる。
【０００４】
従来のバンドサーチ処理について図面を用いて説明する。図５に示すように、バンドサーチ処理が開始された場合、通信端末装置は、受信無線周波数帯域の切り換え処理を行う（ステップＳＴ１１）。次に、基地局装置から受信した信号の復調を行う際に用いられる基準周波数信号を生成する、周波数精度が高くかつ電圧によって周波数の微調整が可能なＶＣ−ＴＣＸＯ(Voltage Controlled - Temperature Controlled X'tal Oscillator)に、予め指定された電圧を設定する処理を行う（ステップＳＴ１２）。
【０００５】
次に、復調に用いる拡散符号の種類と拡散のタイミングを同定する処理、すなわちセルサーチ処理（例えば、特許文献１参照）を行う（ステップＳＴ１３）。セルサーチ処理で同定された拡散コードによって基地局装置から受信した信号を逆拡散処理することにより、基地局装置から送信される既知参照信号が受信できるようになる。
【０００６】
基地局装置の基準周波数と通信端末装置の基準周波数に誤差（以下、周波数誤差という）がある場合、通信端末装置で復調された既知参照信号の位相は、周波数誤差に比例した速さで変化する。この既知参照信号の位相変化量を測定し、位相変化量が小さくなるようにＶＣ−ＴＣＸＯの電圧を制御することによって、基地局装置と通信端末装置の基準周波数を一致させる動作、すなわちＡＦＣ処理（例えば、特許文献２参照）を行う（ステップＳＴ１４）。
【０００７】
ステップＳＴ１５において、ＡＦＣ処理で測定された位相変化量に基づき、位相変化量が０の場合には、基地局装置が検出されたと判断し、バンドサーチ処理を終了する。
【０００８】
一方、ステップＳＴ１５において、位相変化量が０でない場合には、基地局装置が検出されなかったと判断し、通信端末装置の無線周波数帯域を別のバンドに変更し、上記の処理を繰り返す。以上の処理により、通信端末装置の通信対象となる基地局装置の決定を行う。
【０００９】
なお、基地局装置と通信端末装置間との間の伝播環境で付加される雑音の影響により、ＡＦＣ処理で測定される既知参照信号の位相変化量には誤差が発生するため、周波数誤差を０にすることは困難である。したがって、一般的には、ステップＳＴ１５の判定処理において、既知参照信号の位相変化量が予め設定された周波数収束判定範囲以内であった場合、周波数誤差が０であるとみなすように実装される。
【００１０】
次いで、従来のバンドサーチ処理を詳細に説明する。図６において、横軸は時間を示し、縦軸は基準周波数を示す。まず、通信端末装置は、バンド切り換え処理により通信端末装置の無線周波数をバンド１に設定する。次に、ＶＣ−ＴＣＸＯ初期化処理によって、基準周波数をＶＣ−ＴＣＸＯの初期電圧値２１に設定し、セルサーチ処理を行う。
【００１１】
その後、ＡＦＣ処理によって通信端末装置の基準周波数２２が基地局装置の基準周波数２３に近づくようにＶＣ−ＴＣＸＯに設定する電圧を制御する。
【００１２】
図６では、バンド切り換え処理を行った時刻ｔ１から、基地局検出許容時間２４を経過しても既知参照信号の位相変化量２５が周波数収束判定範囲２６以内の値とならなかったため、通信端末装置はバンド１で基地局装置を検出できなかったと判断する。
【００１３】
次に、時刻ｔ２において、通信端末装置はバンド切り換え処理により通信端末装置の無線周波数帯域をバンド２に設定し、バンド２において、ＶＣ−ＴＣＸＯ初期化処理、セルサーチ処理、ＡＦＣ処理を行う。バンド２では、時刻ｔ３において基地局検出許容時間２４の経過前に既知参照信号の位相変化量２５が周波数収束判定範囲２６以内となったため、通信端末装置はバンド２において基地局装置を検出したと判断し、バンドサーチ処理を終了する。
【特許文献１】特開２００２−９６７０号公報
【特許文献２】特開２００３−７８５０１号公報
【発明の開示】
【発明が解決しようとする課題】
【００１４】
ところで、従来の通信端末装置は、ＶＣ−ＴＣＸＯ初期化処理では、各バンドにおける制御電圧の初期値を一定としていたため、ＡＦＣ処理によって通信端末装置の基準周波数が基地局装置の基準周波数に近づくまで時間を要するので、基地局検出許容時間を長くしなければならない問題がある。その結果、位相変化量が周波数収束判定範囲以内に収まる、信頼性の高いバンドを検出するまでの所要時間が長い問題がある。
【００１５】
また、通信品質の向上を実現するために、できるだけ信頼性の高い基地局装置と通信することが望まれている。しかしながら、従来のバンドサーチ処理では、最初に検出されたバンドを通信に利用するため、他にさらに信頼性の高いバンドがあったとしても再度バンドサーチ処理を行わなければそのバンドを通信に利用することはできない。
【００１６】
本発明は、かかる点に鑑みてなされたものであり、第１に信頼性の高いバンドを短時間に特定することができ、第２に最も信頼性の高いと推定されるバンドを特定できる通信端末装置を提供することを目的とする。
【課題を解決するための手段】
【００１７】
本発明の特徴は、通信端末装置において、受信帯域を切り換えて複数帯域の無線信号を受信可能な無線部と、前記無線部より得られた受信信号の周波数に基準周波数を制御する自動周波数制御手段と、前記無線部により切り換えられた受信帯域における前記自動周波数制御手段の制御電圧の初期値を、受信帯域が切り換えられる前の制御電圧に設定する制御手段とを具備することである。
【発明の効果】
【００１８】
本発明によれば、信頼性の高いバンドを短時間に特定することができる通信端末装置を提供することができる。
【発明を実施するための最良の形態】
【００１９】
以下、本発明の一実施の形態について図面を参照して詳細に説明する。
【００２０】
まず、本実施の形態に係る通信システムの構成について、図１を参照して説明する。
【００２１】
図１に示すように、通信システム１０は、複数の基地局装置（ここでは、基地局装置１００−１〜１００−３）と、通信端末装置２００とを備える。
【００２２】
基地局装置１００は、ベースバンド信号を拡散符号にて拡散変調した後に基準周波数信号で変調し、変調後の信号を無線周波数帯域のキャリアを用いて送信する。なお、基地局装置１００−１〜１００−３は、お互いに異なる無線周波数帯域を用いて通信を行う。
【００２３】
通信端末装置２００は、基地局装置１００の中で最も信頼性の高い基地局装置を通信相手として選択する。
【００２４】
この通信端末装置２００は、受信無線部２０１と、復調部２０２と、制御部２０３と、セルサーチ部２０４と、逆拡散部２０５と、ＶＣ−ＴＣＸＯ（Voltage Controlled - Temperature Controlled X'tal Oscillator）２０６と、ＡＦＣ（Automatic Frequency Control）部２０７とを備える。制御部２０３は、メモリ部２０８を備える。
【００２５】
受信無線部２０１は、制御部２０３の制御により受信周波数帯域を順次切り換え、切り換えられた周波数帯域と同じ無線周波数にて基地局装置１００から送信される送信信号を、無線周波数からダウンコンバートして、復調部２０２に出力する。
【００２６】
復調部２０２は、受信無線部２０１の出力を基準周波数信号により復調して、ベースバンド信号を形成し、セルサーチ部２０４および逆拡散部２０５に出力する。なお、この基準周波数信号はＶＣ−ＴＣＸＯ２０６により生成され、このＶＣ−ＴＣＸＯ２０６は、生成周波数の精度が高く、印加される電圧により周波数の微調整をすることができる。
【００２７】
セルサーチ部２０４は、制御部２０３の制御によりセルサーチを行い、基地局装置１００において拡散変調に用いられた拡散符号の種類および拡散のタイミングを同定し、同定した拡散符号を逆拡散部２０５に出力する。
【００２８】
逆拡散部２０５は、復調部２０２からのベースバンド信号を、セルサーチ部２０４で同定した拡散符号を用いて逆拡散を行い、逆拡散後の信号をＡＦＣ部２０７に出力する。
【００２９】
ＡＦＣ部２０７は、基地局装置１００から送信された既知参照信号に関する逆拡散部２０５からの出力信号の位相変化量を測定し、制御部２０３に出力する。ここで、この既知参照信号に関する逆拡散部２０５からの出力信号の位相変化量は、基地局装置１００の基準周波数信号の周波数と通信端末装置２００の基準周波数信号の周波数とが一致し、さらに伝搬環境で付加される雑音の影響がない場合には、略ゼロとなる。また、この既知参照信号に関する逆拡散部２０５からの出力信号の位相変化量は、基地局装置１００の基準周波数信号の周波数と通信端末装置２００の基準周波数信号の周波数との周波数誤差の大きさに比例して大きくなる。よって、既知参照信号に関する逆拡散部２０５からの出力信号の位相変化量を小さくする制御を行うことで、基地局装置１００の基準周波数信号の周波数と通信端末装置２００の基準周波数信号の周波数との周波数誤差を小さくすることができる。さらに、周波数誤差の小さい基地局装置１００を通信相手として選択することにより、品質の高い通信を実現することができる。
【００３０】
制御部２０３は、ＡＦＣ部２０７からの位相変化量が小さくなるように、ＶＣ−ＴＣＸＯ２０６に印加する電圧を制御する。そして、制御部２０３は、各受信周波数帯域における上記位相変化量の測定から一定時間後の、ＶＣ−ＴＣＸＯ２０６に印加している電圧（復調部２０２にて使用している基準周波数信号の周波数に対応する）および位相変化量を取得する。そして、その今回の位相変化量が、それ以前にメモリ部２０８に記憶しておいた他の受信周波数帯域における位相変化量よりも小さいときには、今回の位相変化量を最小位相変化量としてメモリ部２０８に記憶するとともに、ＶＣ−ＴＣＸＯ２０６に印加している電圧をメモリ部２０８に記憶して次の切り換え後の無線周波数帯域におけるＶＣ−ＴＣＸＯ２０６に印加する初期電圧として利用する。そして、制御部２０３は、最後の受信周波数帯域における一定時間後の位相変化量と記憶されている最小位相変化量とを比較して、最も位相変化量が小さい受信周波数帯域の基地局装置１００を特定し、この基地局装置１００を最も信頼性が高い基地局装置として選択する。
【００３１】
次いで、通信端末装置２００において行われるバンドサーチのフローについて説明する。
【００３２】
図２に示すように、ステップＳＴ３０１において、制御部２０３は、ＶＣ−ＴＣＸＯ初期化処理にて、ＶＣ−ＴＣＸＯ２０６に印加する制御電圧を初期値に設定する。
【００３３】
ステップＳＴ３０２において、受信無線部２０１は、制御部２０３の制御により、通信端末装置２００が受信する無線周波数帯域、すなわち受信周波数帯域をバンドサーチの対象に設定する。
【００３４】
ステップＳＴ３０３において、セルサーチ部２０４は、制御部２０３の制御により、復調に用いる拡散符号の種類と拡散のタイミングを同定する、すなわちセルサーチ処理を行う。そして、セルサーチ処理で同定された拡散コードにより受信信号を逆拡散処理することによって、基地局装置１００から送信される既知参照信号が受信できるようになる。
【００３５】
ステップＳＴ３０４において、ＡＦＣ部２０７は、入力される既知参照信号の位相変化量を測定して制御部２０３に出力し、制御部２０３は入力される位相変化量が小さくなるようにＶＣ−ＴＣＸＯ２０６に設定する電圧を制御することによって、既知参照信号の周波数に通信端末装置１００の基準周波数を制御する動作、すなわち基地局装置１００と通信端末装置２００の基準周波数を近づける動作を一定時間実施する。そして、その一定時間後の位相変化量と、その時に合わせている受信周波数帯域を識別する情報と、その時ＶＣ−ＴＣＸＯ２０６に設定している電圧情報とを取得する。
【００３６】
ステップＳＴ３０５において、制御部２０３は、判定処理により、ステップＳＴ３０４で取得した位相変化量Δfと、メモリ部２０８に記憶している最小位相変化量Δf_minとを比較する。
【００３７】
比較の結果、位相変化量Δfが最小位相変化量Δf_minよりも小さいときには、制御部２０３は、最小位相変化量更新処理によって既知参照信号の位相変化量Δfを最小位相変化量Δf_minとしてメモリ部２０８に記憶し（ステップＳＴ３０６）、最適バンド更新処理により現在バンドサーチ処理が実施されている受信周波数帯域の識別情報を最適バンド情報としてメモリ部２０８に記憶し（ステップＳＴ３０７）、ＶＣ−ＴＣＸＯ初期値更新処理により、ＶＣ−ＴＣＸＯ２０６に印加する電圧の初期値を決定する上記電圧情報をメモリ部２０８に記憶する（ステップＳＴ３０８）。
【００３８】
一方、比較の結果、位相変化量Δfが最小位相変化量Δf_min以上のときには、制御部２０３は、最小位相変化量更新処理、最適バンド更新処理、ＶＣ−ＴＣＸＯ初期値更新処理を行わない。以上の処理を、バンドサーチ処理の対象となる全バンドに対して行い、バンドサーチ処理を終了する。
【００３９】
次いで、通信端末装置２００のバンドサーチ処理を図３および図４を参照してさらに詳細に説明する。なお、図３および図４の横軸は時間を示し、縦軸は基準周波数信号の周波数を示す。
【００４０】
図３に示すように、制御部２０３は、ＶＣ−ＴＣＸＯ初期化処理にて、ＶＣ−ＴＣＸＯ２０６に印加する電圧を初期電圧に設定する。次に、制御部２０３は、受信無線部２０１を制御して受信周波数帯域をバンド１に設定し、セルサーチ部２０４を制御して拡散符号を同定する。逆拡散部２０５がその拡散符号を用いて拡散復号することにより、既知参照信号が受信できるようになる。
【００４１】
その後、予め設定したＡＦＣ処理実行時間４０３（一定時間）の間だけ、制御部２０３は、ＡＦＣ処理によってＶＣ−ＴＣＸＯ２０６が生成する基準周波数信号の基準周波数４０１が基地局装置１００の基準周波数４０４に近づくようにＶＣ−ＴＣＸＯ２０６に設定する電圧を制御する。
【００４２】
時刻ｔ１においては、最初に合わせたバンドでありまだ最小位相変化量の更新が行われていないため、制御部２０３は、無条件に最小変化量更新処理、最適バンド更新処理、ＶＣ−ＴＣＸＯ初期値更新処理を実施する。これは、例えば、最小位相変化量を大きな値で初期化しておくことによって実現できる。
【００４３】
この結果、時刻ｔ１において、ＶＣ−ＴＣＸＯ初期値は、バンド１終了時のＶＣ−ＴＣＸＯの制御電圧、最適バンドにはバンド１、最小位相変化量Δf_minはバンド１におけるＡＦＣ処理で取得した既知参照信号の位相変化量Δf1がそれぞれ制御部２０３によって設定される。なお、時刻ｔ１以前に位相変化量が０でない値に収束しているように示している部分は、伝搬環境で付加される雑音に相当する。従って、位相変化量が最小の基地局装置１００を選択することは、基準周波数信号の周波数誤差および伝搬環境の影響が最小の基地局装置１００を選択することになる。すなわち、最も信頼性が高い基地局装置１００を選択することになる。
【００４４】
次に、制御部２０３は、バンド切り換え処理により通信端末装置２００の受信周波数帯域をバンド２に設定し、セルサーチ処理によって既知参照信号が受信できるようにする。
【００４５】
その後、ＡＦＣ処理実行時間４０３の間だけ、制御部２０３は、ＡＦＣ処理によってＶＣ−ＴＣＸＯ２０６が生成する基準周波数信号の基準周波数４０１が基地局装置１００の基準周波数４０４に近づくようにＶＣ−ＴＣＸＯ２０６に設定する電圧を制御する。このとき、バンド２におけるＡＦＣ処理では、バンド１におけるＡＦＣ処理終了時に設定されているＶＣ−ＴＣＸＯ制御電圧、すなわちＶＣ−ＴＣＸＯ初期値更新処理により更新された制御電圧が初期値として用いられる。こうすることで、バンド切り換え後のバンド２において、切り換え前のバンドにて得られる、受信信号の周波数に基準周波数信号の周波数を制御した結果の制御電圧を初期値として利用することができるので、受信信号の周波数に基準周波数信号の周波数を近づけるまでの所要時間を短縮することができる。その結果、周波数収束判定範囲内に初めて収まる、信頼性の高いバンドを短時間で特定することができる。
【００４６】
時刻ｔ２において、制御部２０３は、判定処理により、バンド２におけるＡＦＣ処理で取得した位相変化量Δf2と、記憶している最小位相変化量Δf_minとを比較する。図３では、Δf2＜Δf_min（＝Δf1）となるため、最小変化量更新処理、最適バンド更新処理、ＶＣ−ＴＣＸＯ初期値更新処理を実施する。
【００４７】
この結果、時刻ｔ２において、ＶＣ−ＴＣＸＯ初期値はバンド２終了時のＶＣ−ＴＣＸＯの制御電圧、最適バンドにはバンド２、最小位相変化量Δf_minはバンド２におけるＡＦＣ処理で取得した位相変化量Δf2がそれぞれメモリ部２０８に設定される。
【００４８】
次に、制御部２０３は、バンド切り替え処理により受信周波数帯域をバンド３に設定し、セルサーチ処理によって既知参照信号が受信できるようにする。
【００４９】
その後、予め設定したＡＦＣ処理実行時間４０３の間だけ、制御部２０３は、ＡＦＣ処理によってＶＣ−ＴＣＸＯ２０６が生成する基準周波数信号の基準周波数４０１が基地局装置１００の基準周波数４０４に近づくようにＶＣ−ＴＣＸＯ２０６に設定する電圧を制御する。このとき、バンド３におけるＡＦＣ処理では、バンド２におけるＡＦＣ処理終了時に設定されているＶＣ−ＴＣＸＯ制御電圧、すなわちＶＣ−ＴＣＸＯ初期値更新処理により更新された時刻ｔ２における制御電圧が初期値として用いられる。
【００５０】
時刻ｔ３において、制御部２０３は、判定処理により、バンド３におけるＡＦＣ処理で取得した位相変化量Δf3と、記憶している最小位相変化量Δf_minとを比較する。図３では、Δf3＜Δf_min(＝Δf2）となるため、最小変化量更新処理、最適バンド更新処理、ＶＣ−ＴＣＸＯ初期値更新処理を実施する。
【００５１】
この結果、時刻ｔ３において、ＶＣ−ＴＣＸＯ初期値はバンド３終了時のＶＣ−ＴＣＸＯの制御電圧、最適バンドにはバンド３、最小位相変化量Δf_minはバンド３におけるＡＦＣ処理で取得した位相変化量Δf3がそれぞれ設定される。
【００５２】
以上の処理によって、検索対象であるバンド１からバンド３に対する処理がすべて終了したため、バンドサーチ処理を終了する。図３では、最適バンドとしてバンド３が選択され、位相変化量Δf3が周波数収束判定範囲４０５内にあるため、通信端末装置２００はバンド３に存在する信頼性の高い基地局装置１００を通信対象として選択する。
【００５３】
図４には、最適バンドがバンド２である場合について示している。図３に示した場合と異なる点についてのみ説明する。
【００５４】
制御部２０３は、予め設定したＡＦＣ処理時間４０３だけ、ＡＦＣ処理によってＶＣ−ＴＣＸＯ２０６が生成する基準周波数信号の基準周波数４０１が基地局装置１００の基準周波数４０４に近づくようにＶＣ−ＴＣＸＯ２０６に設定する電圧を制御する。このとき、バンド３におけるＡＦＣ処理では、バンド２におけるＡＦＣ処理終了時に設定されているＶＣ−ＴＣＸＯ制御電圧、すなわちＶＣ−ＴＣＸＯ初期値更新処理により更新された制御電圧が初期値として用いられる。
【００５５】
時刻ｔ３において、制御部２０３は、判定処理により、バンド３におけるＡＦＣ処理で取得した位相変化量Δf3と、メモリ部２０８に記憶している最小位相変化量Δf_minとを比較する。図４では、Δf3≧Δf_min(＝Δf2）となるため、最小変化量更新処理、最適バンド更新処理、ＶＣ−ＴＣＸＯ初期値更新処理を実施されない。
【００５６】
この結果、時刻ｔ３において、ＶＣ−ＴＣＸＯの初期値はバンド２終了時のＶＣ−ＴＣＸＯの制御電圧、最適バンドにはバンド２、最小位相変化量Δf_minはバンド２におけるＡＦＣ処理で取得した位相変化量Δf2がそれぞれ制御部２０３によりメモリ部２０８に設定される。
【００５７】
以上の処理によって、検索対象であるバンド１からバンド３に対する処理がすべて終了したため、バンドサーチ処理を終了する。図４では、最適バンドとしてバンド２が選択され、位相変化量Δf2が周波数収束判定範囲４０５内にあるため、通信端末装置２００はバンド２に存在する信頼性の高い基地局装置１００を通信対象として選択する。
【００５８】
以上のように、通信システム１０において、基地局装置１００は、ベースバンド信号を基準周波数信号で変調（周波数変換）し、周波数変換後の信号を各基地局装置１００が異なる無線周波数帯域のキャリアを用いて送信する。
【００５９】
通信端末装置２００は、受信無線部２０１において受信するキャリアの周波数帯域を順次切り換え、各受信周波数帯域にて受信した信号を復調部２０２に入力すると、ＶＣ−ＴＣＸＯ２０６にて生成された基準周波数信号を掛け合わせベースバンド信号を形成し、ＡＦＣ部２０７においてこのベースバンド信号の位相変化量を測定する。制御部２０３においては、測定された位相変化量をゼロに近づけるようにＶＣ−ＴＣＸＯ２０６に印加する電圧を初期電圧値から所定時間制御し、当該所定時間経過時に印加している経過時印加電圧値およびその時の経過時位相変化量を取得する。
【００６０】
そして、制御部２０３においては、以前に取得した経過時位相変化量の中で最小の最小位相変化量と、今回の受信周波数帯域において取得した経過時位相変化量とを比較して、今回の経過時位相変化量が最小位相変化量よりも小さいときには今回の経過時位相変化量を最小位相変化量として記憶し、今回の受信周波数帯域を最適バンドとして記憶し、さらに今回の経過時印加電圧値を初期電圧値として記憶する。一方、今回の経過時位相変化量が最小位相変化量以上ときには、最小位相変化量、最適バンドおよび初期電圧値の更新は行わない。すなわち、制御部２０３が、各受信周波数帯域においてＶＣ−ＴＣＸＯ２０６に印加する初期電圧値を一定にするのではなく、受信周波数帯域を順次切り換えて行く中でこれまでで最も経過時位相変化量の小さい受信周波数帯域における経過時印加電圧値を、その後の受信周波数帯域における初期電圧値として使用する。そして、このような処理をすべての受信周波数帯域について行い、最終的に記憶している最適バンドを特定する。
【００６１】
こうすることで、所定の受信周波数帯域群に含まれる受信周波数帯域の中で最もベースバンド信号の位相変化量が小さい受信周波数帯域を特定することができるので、位相変化量が最小で最も信頼性の高い通信を行うことができる受信周波数帯域を選択することができる。
【００６２】
さらに、所定の受信周波数帯域群に含まれる受信周波数帯域のすべてに順次切り換える制御を行い、今回の受信周波数帯域までで最も経過時位相変化量の小さい受信周波数帯域の経過時印加電圧値を、次回の前記受信周波数帯域において印加する初期電圧値とするので、各受信周波数帯域における最小の位相変化量に近づくまでの所要時間が短縮されるため、各受信周波数帯域における位相変化量の測定時間を短縮することができ、位相変化量が最小の受信周波数帯域を特定するまでに掛かる時間を短縮することができる。その結果、通信端末装置２００が基地局装置１００を選択するまでの通信待機時間を短縮することができる。
【００６３】
なお、上述の実施の形態では、制御部２０３の制御により、メモリ部２０８に最小位相変化量およびこれに対応する最適バンド、経過時印加電圧値のみを記憶して、受信周波数帯域を切り換えて、さらに小さい位相変化量を測定したときには、この位相変化量を最小位相変化量として更新し、これに対応するバンド識別情報および経過時印加電圧値についても更新するものとして説明した。しかしながらこれに限定されるものではなく、切り換えられた受信周波数帯域ごとに一定時間経過時の位相変化量、バンド識別情報および経過時印加電圧値を順次メモリ部２０８に記憶して、制御部２０３がメモリ部２０８に記憶された位相変化量が最小のものを探索するものとしてもよい。要は、位相変化量が最小のバンドを特定することができ、また、受信周波数帯域の切り換え前の最小位相変化量に対応する経過時印加電圧値を、切り換え後の受信周波数帯域における印加電圧の初期値として用いることができればよい。
【００６４】
なお、上述の実施の形態では、通信システム１０がＣＤＭＡ通信が適用される通信システムであることを前提として説明しているが、これに限定されるものではなく、他の通信方式が適用される通信システムにおいても適用可能である。
【００６５】
このように本実施の形態の通信端末装置２００においては、無線受信部２０１にて受信帯域を切り換えて複数帯域の受信信号を受信し、制御部２０３にて無線受信部２０１より得られる受信信号の周波数にＶＣ−ＴＣＸＯ２０６の生成する基準周波数信号の周波数を近づけるようにＶＣ−ＴＣＸＯ２０６への印加電圧を制御する。また、制御部２０３は、無線受信部２０１により受信帯域が切り換えられる場合に、切り換えられた受信帯域におけるＶＣ−ＴＣＸＯ２０６への制御電圧の初期値を、受信帯域が切り換えられる前の制御電圧に設定する。
【００６６】
こうすることで、切り換えられた受信帯域においては、切り換え前の受信帯域にて無線受信部２０１より得られる受信信号の周波数に基準周波数信号の周波数を近づけるように制御した結果の制御電圧を初期値として利用することができるので、受信信号の周波数に基準周波数信号の周波数を近づけるまでの所要時間を短縮することができる。その結果、例えば、従来のように周波数収束判定範囲内に位相変化量が入るバンドを信頼性の高いバンドと判断し、通信に利用するものとしている場合には、信頼性の高いバンドを短時間に特定しこれを通信に利用することができる。
【００６７】
さらに、本実施の形態の通信端末装置２００において、制御部２０３は、ＡＦＣ部２０７にて測定される、無線受信部２０１により切り換えられた受信帯域における一定時間後の、ＶＣ−ＴＣＸＯ２０６が出力する基準周波数信号の周波数と無線受信部２０１より得られる受信信号の周波数との誤差のうちの最小誤差を受信帯域に対応づけてメモリ部２０８に記憶する。そして、制御部２０３は、無線受信部２０１により受信帯域が切り換えられる場合に、メモリ部２０８に記憶している最小誤差と対応する制御電圧を、ＶＣ−ＴＣＸＯ２０６への制御電圧の初期値に設定する。
【００６８】
こうすることで、今回切り換えられる以前の受信帯域における最小誤差に対応する制御電圧を、切り換え後の受信帯域におけるＶＣ−ＴＣＸＯ２０６への制御電圧の初期値とするので、受信信号の周波数に基準周波数信号の周波数を近づけるまでの所要時間を短縮することができる。その結果、各受信帯域における誤差の測定時間を短縮することができ、誤差が最小で最も信頼性の高いと推定される受信帯域を特定するまでに掛かる時間を短縮することができるため、通信待機時間を短縮することができる。
【００６９】
本発明の通信端末装置の一つの態様においては、受信帯域を切り換えて複数帯域の無線信号を受信可能な無線部と、前記無線部より得られた受信信号の周波数に基準周波数を制御する自動周波数制御手段と、前記無線部により切り換えられた受信帯域における前記自動周波数制御手段の制御電圧の初期値を、受信帯域が切り換えられる前の制御電圧に設定する制御手段とを具備する。
【００７０】
この構成によれば、切り換えられた受信帯域においては、切り換え前の受信帯域にて得られる受信信号の周波数に基準周波数信号の周波数を制御した結果の制御電圧を初期値として利用することができるので、受信信号の周波数に基準周波数信号の周波数を近づけるまでの所要時間を短縮することができる。その結果、例えば、従来のように周波数収束判定範囲内に位相変化量が入るバンドを信頼性の高いバンドと判断し、通信に利用するものとしている場合には、信頼性の高いバンドを短時間に特定でき、これを通信に利用することができる。
【００７１】
本発明の通信端末装置の他の態様においては、受信帯域を切り換えて複数帯域の無線信号を受信可能な無線部と、前記無線部より得られた受信信号の周波数に基準周波数を制御する自動周波数制御手段と、前記無線部により切り換えられた受信帯域における前記自動周波数制御手段の制御電圧の初期値を、受信帯域が切り換えられる前の制御電圧に設定する制御手段とを具備し、前記制御手段は、前記無線部により切り換えられた受信帯域における一定時間後の、自動周波数制御手段の出力周波数と前記基準周波数との誤差のうちの最小誤差を、受信帯域と対応づけて記憶するメモリと、前記無線部の受信帯域が切り換えられる場合に、前記最小誤差に対応する制御電圧を、前記自動周波数制御手段の制御電圧の初期値に設定する制御電圧設定手段と、を具備する。
【００７２】
この構成によれば、切り換えられた受信帯域においては、切り換え前の受信帯域にて得られる受信信号の周波数に基準周波数信号の周波数を制御した結果の制御電圧を初期値として利用することができるので、受信信号の周波数に基準周波数信号の周波数を近づけるまでの所要時間を短縮することができる。その結果、各受信帯域における誤差の測定時間（上記切り換えられた受信帯域における一定時間）を短縮することができ、誤差が最小の受信帯域を特定するまでに掛かる時間を短縮することができる。よって、最も信頼性の高い受信帯域を短時間に特定することができる。
【産業上の利用可能性】
【００７３】
本発明は、信頼性の高いバンドを短時間に特定することができる通信端末装置として有用である。
【図面の簡単な説明】
【００７４】
【図１】本発明の実施の形態に係る通信システムの全体構成図
【図２】図１の通信端末装置におけるバンドサーチ処理のフロー図
【図３】図１の通信端末装置の動作の説明に供する図
【図４】図１の通信端末装置の動作の説明に供する他の図
【図５】従来の通信端末装置におけるバンドサーチ処理のフロー図
【図６】従来の通信端末装置の動作の説明に供する図
【符号の説明】
【００７５】
１０  通信システム
１００  基地局装置
２００  通信端末装置
２０１  受信無線部
２０２  復調部
２０３  制御部
２０４  セルサーチ部
２０５  逆拡散部
２０６  ＶＣ−ＴＣＸＯ
２０７  ＡＦＣ部
２０８  メモリ部
【図１】
2006067337.tif 000003
【図２】
2006067337.tif 000004
【図３】
2006067337.tif 000005
【図４】
2006067337.tif 000006
【図５】
2006067337.tif 000007
【図６】
2006067337.tif 000008